(57)【特許請求の範囲】
【請求項１】
間仕切り壁体の上端部が、この上端部に沿う天井面との隙間に挿入され天井面に取り付けられた桟材に固定され、前記桟材の側面と天井面とが交叉する角部に沿って廻り縁が取り付けられている間仕切り構造に設けた廻り縁付きの桟材を残して間仕切り壁体だけを取り除き、残した前記桟材の露出する表面を化粧材で化粧して改装することを特徴とする間仕切りの改装方法。
【請求項２】
前記廻り縁付きの桟材から前記化粧材を取り除き、前記廻り縁付きの桟材に間仕切り壁体を取り付けて復元することを特徴とする請求項１記載の間仕切りの改装方法。
【発明の詳細な説明】
【０００１】
【発明の属する技術分野】
本発明は、住宅等の室内に設けられる間仕切りの改装方法に関する。
【０００２】
【従来の技術】
従来の間仕切り構造として、特開平９−２２８５２３号公報に記載されているものは、可変間仕切り壁用支柱に間仕切り壁パネルを取り付けてなるものであって、この支柱は天井側上端部に固定ピンを、床面側下端部には位置決めピンと高さ調節用のアジャスターとを有し、側面には間仕切り壁パネルの取付け溝が配設されており、固定ピン、位置決めピン、高さ調節用のアジャスターにより床面に圧着固定されるものである。
これによって、間仕切り壁パネルの設置位置を可変にでき、居室空間を広げることができる。
【０００３】
【発明が解決しようとする課題】
しかしながら、上記従来技術は、可変間仕切り壁用支柱に間仕切り壁パネルを取り付けてなるものであるから、間仕切り壁を取って居室空間を広くしようとすると、天井クロスの貼り直し、廻り縁の付け直し等が生じる。
また、この支柱が室内に露出するので、住宅等には意匠的に適さないという問題がある。
【０００４】
本発明は、上記の問題に着目してなされたものであって、天井クロスの貼り直し、廻り縁の付け直しが不要で、住宅等に意匠的に適合する間仕切りの改装方法を提供することにある。
【０００７】
【課題を解決するための手段】
請求項１記載の発明は、間仕切り壁体の上端部が、この上端部に沿う天井面との隙間に挿入され天井面に取り付けられた桟材に固定され、前記桟材の側面と天井面とが交叉する角部に沿って廻り縁が取り付けられている間仕切り構造に設けた廻り縁付きの桟材を残して間仕切り壁体だけを取り除き、残した前記桟材の露出する表面を化粧材で化粧して改装することを特徴とする間仕切りの改装方法である。
【０００８】
請求項２記載の発明は、請求項１記載の発明において、さらに、前記廻り縁付きの桟材から前記化粧材を取り除き、前記廻り縁付きの桟材に間仕切り壁体を取り付けて復元することを特徴とする間仕切りの改装方法である。
【００１１】
請求項１，２記載の本発明によれば、間仕切り構造に設けた廻り縁付きの桟材を残して間仕切り壁体だけを取り除いて改装する間仕切りの改装方法であるから、天井クロスの貼り直し、廻り縁の付け直しの手間が省ける。従って、簡便に間仕切り壁体を除いて広い居室空間に改装でき、再度間仕切りを復元する場合も容易である。
そして、残した前記桟材の露出する表面を化粧材で化粧するので、意匠的な違和感をなくすることができる。
【００１３】
【発明の実施の形態】
以下、図面を参照して、この発明の実施の形態について説明する。
図１と図２は、本発明の一実施例であって、図１（イ）図は間仕切り構造の断面図、（ロ）図は（イ）図のＡ−Ａ線における断面図、図２（イ）図は図１の間仕切りを取り除いて改装された居室の断面図、（ロ）図は（イ）図の桟材の露出面を化粧材で仕上げた居室の断面図である。
【００１４】
（間仕切り構造）
図１に示す本実施例の間仕切り構造は、間仕切り壁体１の上端部に沿う天井２面との隙間に挿入された桟材３が天井２面に釘４で取り付けられ、この桟材３に間仕切り壁体１の上端部（上枠材）が釘４で固定されているものである。
そして、前記桟材３の側面と天井２面とが交叉する角部に沿って廻り縁５、５が取り付けられている。
【００１５】
上記間仕切り壁体１は、四方形に組まれた枠材１１と、この枠材１１の両側面に貼設された面材１２、１２とからパネル状になされたものであって、その高さ寸法は、略、床６と天井２間の距離から桟材３の高さ寸法を差し引いた寸法になされている
上記天井２は、天井梁（不図示）に支持して取り付けられた石膏ボードでなる天井下地材２１の表面に天井クロス２２が貼設されている。
上記桟材３は、断面四角形の桟木の両側面に間仕切り１の面材１２と同じ面材が貼設され、間仕切り１の巾と略同じ巾になされている。
【００１６】
上記間仕切り壁体１の下端部は、床下地材６１にフローリングでなる床面材６１が貼設された床６の面に突き合わせられ、釘４で釘打ちされて取り付けられ、角部に巾木７、７が取り付けられている。
【００１７】
上記構成になされた間仕切り構造の施工は、間仕切り壁体１の設置位置に沿う天井２に桟材３を釘打ちして取り付ける。
そして、間仕切り壁体１の枠材１１を上記桟材３と床６面との間に挿入し、枠材１１の上端部（上枠材）を上記桟材３に釘打ちして取り付けると同時に、枠材１１の下端部（下枠材）を床下地材６１に釘打ちして取り付ける。
その後、上記枠材１１の両側面に面材１２、１２を貼設すると共に、天井下地材２１に天井クロス２２を、床下地材６１には床面材６１を、それぞれ、貼設する。
そして、最後に、天井２の角部に廻り縁５を、床６の角部に巾木７を取り付けて仕上げする。
【００１８】
（間仕切りの改装方法）
上記間仕切り壁体１を取り外して広い居室となるように改装する改装方法を図２を参照して説明する。
図２（イ）図に示すように、上記間仕切り構造に設けた廻り縁５付きの桟材３を残して間仕切り壁体１だけを取り除く。
その際、巾木７を取り外してから、間仕切り壁体１の面材１２を引き剥がし、枠材１１に打ち込まれた釘４を引き抜いて間仕切り壁体１を取り除く。
その後、図２（ロ）図に示すように、残した前記桟材３の露出する表面を化粧材８で仕上げる。化粧材８による仕上げとしては、天井クロス２２と同色、同材質のクロス貼りにするか、廻り縁５と同仕様の化粧材８を取り付けて行う。
また、間仕切り壁体１を取り除いた床下地材６１の露出する面には、見切り材６３を貼り付けて仕上げる。
【００１９】
（実施例の作用）
上記本実施例によれば、間仕切り壁体１の上端部が、天井２面に取り付けられた桟材３に固定され、前記桟材３の側面と天井面とが交叉する角部に沿って廻り縁５が取り付けられているので、桟材３と廻り縁５を残し間仕切り壁体１だけを取り除いて改装すれば、天井クロス２２の貼り直し、廻り縁５の付け直しが不要となる。
従って、間仕切り壁体１を除いて広い居室空間に簡便に改装でき、再度間仕切りを復元する場合も容易である。
そして、残した前記桟材３の露出する表面を化粧材８で化粧するので、外観面の違和感をなくすることができる。
【００２８】
【発明の効果】
請求項１，２記載の本発明によれば、簡便に間仕切り壁体を除いて広い居室空間に改装でき、再度間仕切り壁体を復元する場合も容易である。
そして、残した前記桟材の露出する表面を化粧材で化粧するので、意匠的な違和感をなくすることができる。
【図面の簡単な説明】
【図１】  本発明の一実施例であって、（イ）図は間仕切り構造の断面図、（ロ）図は（イ）図のＡ−Ａ線における断面図。
【図２】  （イ）図は図１の間仕切り壁体を取り除いて改装された居室の断面図、（ロ）図は（イ）図の桟材の露出面を化粧材で仕上げた居室の断面図。
【符号の説明】
１      間仕切り壁体
２      天井
３      桟材
５      廻り縁
６      床
７      巾木
８      化粧材
【図１】
0004511664.tif 000002
【図２】
0004511664.tif 000003